(57)【特許請求の範囲】
【請求項１】
建物の構造壁面に固定される取付板と、タイルの裏面に形成された係合溝に係合して取り付けられるタイル取付具とを備え、タイル取付具が、取付板に引っ掛けられてタイルが建物の構造壁面に固定されて成るタイルの取付構造であって、
タイルの係合溝は、互いに上下方向に間隔をおき、タイルの横幅方向に伸びるように形成された上側係合溝と下側係合溝を有し、
上側係合溝は、タイルの裏面から斜め上方に向け傾斜して深くなるように形成されており、
下側係合溝は、斜め上方に向け傾斜した傾斜上面と、水平下面と、下側係合溝の最奥部に位置する垂直面とを備え、断面が台形状に形成されており、
タイル取付具は、板状の取付具本体と取付板に引っ掛けるフック部から成り、
取付具本体は、上側係合部と下側係合部とを有し、
上側係合部は、タイルの上側係合溝と係合するように、取付具本体の上端部が斜め上方に向けて屈曲して形成された傾斜部から成り、    
下側係合部は、タイルの下側係合溝と係合するように、取付具本体の下端部が水平に屈曲して形成された水平部及び該水平部からさらに垂直に屈曲して形成された垂直部とから成ることを特徴とするタイルの取付構造。                           
【請求項２】
タイルの下側係合溝の開口の上下幅は、タイル取付具の下側係合部の垂直部の上下幅より大きいことを特徴とする請求項１に記載のタイルの取付構造。
【請求項３】
タイルの上側係合溝は、上側係合溝の開口の上側におけるタイルの裏面となす角度は４５°であることを特徴とする請求項１又は２に記載のタイルの取付構造。
【請求項４】
取付板は、タイル取付具のフック部を引っ掛けて係止する受け部を備えていることを特徴とする請求項１、２又は３に記載のタイルの取付構造。   
【請求項５】
タイル取付具のフック部は、タイル取付具本体に固着されていることを特徴とする請求項１〜４のいずれかに記載のタイルの取付構造。
【請求項６】
タイル取付具のフック部は、タイル取付具本体の一部が平面視で凹型に切り込まれて切り込み部が形成されており、該切り込み部が屈曲されてタイル取付具本体と一体で形成されていることを特徴とする請求項１〜４のいずれかに記載のタイルの取付構造。
【請求項７】
タイルの下側係合溝の水平下面とタイル取付具の下側係合部の水平部との間に、タイル取付具を上方に向けて付勢するバネが装着されていることを特徴とする請求項１〜６のいずれかに記載のタイルの取付構造。
【請求項８】
バネは、板バネであること特徴とする請求項７に記載のタイルの取付構造。
【請求項９】
板バネは、凸状に湾曲した湾曲部を有し、該湾曲部の両端には平坦部が形成されていることを特徴とする請求項８に記載のタイルの取付構造。
【請求項１０】
板バネは、凸状に湾曲した湾曲部を有し、該湾曲部の両端には平坦部が形成されており、該平坦部には湾曲部と反対側に向けて屈曲された折り返し端部が形成されており、該折り返し端部は、タイルの下側係合溝の水平下面に当接するように構成されていることを特徴とする請求項８に記載のタイルの取付構造。
【請求項１１】
板バネは、凸状に湾曲した湾曲部を有し、該湾曲部の両端には平坦部が形成されており、該平坦部には湾曲部と同じ側に向けて屈曲された折り返し端部が形成されており、該折り返し端部は、タイル取付具の下側係合部の水平部の下面に当接可能な構成であることを特徴とする請求項８に記載のタイルの取付構造。
【請求項１２】
板バネは、断面が波状に形成されていることを特徴とする請求項８に記載のタイルの取付構造。
【発明の詳細な説明】
【技術分野】
【０００１】
本発明は、タイルの取付構造に関し、特に、建物のコンクリート等の構造壁面にタイルを取り付けるタイルの取付構造に関する。
【背景技術】
【０００２】
従来、タイルを、建物のコンクリート等の構造壁面に取り付ける取付手段として、通常は、タイルの裏面に溝を形成し、タイルの裏面と構造壁面との間に、タイルの裏面の溝内も含め、モルタル等の接着材料を充填し、タイルを構造壁面に接着することが行われていた（特許文献１参照）。
【０００３】
また、別の取付手段として、タイルの裏面に取付孔を形成し、この取付孔に、取付部材を挿入し、この取付部材に取付ボルトを螺着して、このボルトによって支持金具等を介してコンクリート等の構造壁面に取り付ける取付構造が知られている。
【０００４】
このような取付構造の具体的な従来例として、大型タイルの裏面に形成され底部に開拡状の係合凹部を有する取付孔に、割り溝を有する留め部材を挿入し、留め部材の内径部に取付ボルトをねじ込み、留め部材を開拡して係合凹部に係合させて保持し、大型タイルに取付金具を取り付ける構造が知られている（特許文献２参照）。
【０００５】
磁器質タイル等の壁面材の裏面に形成され底部に開拡状の係止部を有する取付孔に、スリット状の溝部を有する胴部を挿入し、胴部にねじ部材をねじ込み開拡して、胴部の先端側の凸部を係止部に係合させて保持し、壁面材に吊持金具を取り付ける構造が知られている（特許文献３）。
【０００６】
大型タイルの裏面に形成され底部に拡径部を有する取付孔に、割り溝を有するアンカーナットを挿入し、アンカーナットに座付ボルトをねじ込み、アンカーナットの拡径部を開拡して取付孔の底部に係合させて保持し、大型タイルに固定金具を取り付ける構造が知られている（特許文献４参照）。
【０００７】
タイルの裏面に形成され奥部に広がった底部を有する取付孔に、割溝を有する取付部材を挿入し、取付部材の内径部に固定ピンをねじ込み、取付部材を開拡して保持し、タイルに取付部材を取り付ける構造が知られている（特許文献５参照）。
【０００８】
さらに別の取り付け手段として、タイルの裏面に溝を形成し、この溝に取付具の一部を差し込んで取り付け、この取付具を介して建物の構造壁面に固定するタイルの取付構造が知られている。
【０００９】
例えば、タイルの裏面に縦断面形状がアリ状の保持溝を幅方向に刻み込み、壁に固定された取付け部材に連結するための固定具を保持溝の側部から差し込み、この固定具を保持溝の最奥部の底部面及びその上下に位置して背部方向にテーパ収斂する係合面に当てる３面拘束としてタイルに接合する構成が知られている（特許文献６参照）。
【００１０】
また、水平方向に複数条のタイル掛止部を設け金属板を建物の躯体壁面にビス留めして、これらの掛止部に、裏面に溝の形成されたタイルをその溝を掛けて取り付ける構造が知られている（特許文献７参照）。
【００１１】
また、建築物の壁面にタイル装着部材をアンカーボルトを用いて固定し、このタイル装着部材の係合部をタイルの裏面に設けられた凹溝に係合してモルタルを流し込んでタイルを固定する構成が知られている（特許文献８参照）。
【００１２】
外壁材下部を水平方向に支持する下部切り欠き片と、外壁材上部を水平方向に固定する上部切り欠き片から成る切り欠き片対を有し、本体が長尺状の外壁材取り付け具が知られている（特許文献９参照）。
【００１３】
タイル取り付け面にタイル支持用の係止溝が上下方向に所定間隔をあけて水平方向に全幅にわたり凹設された下地パネルに、タイル裏面に設けた突起を係止溝に嵌入させて取り付けたタイル取付構造において、突起の上面を係止溝内の上側の内壁に弾性的に押接するバネ部材を配置した構成、及び係止溝内の上側の内壁と該内壁に当接するタイルの突起の上面とを凹凸嵌合した構成が知られている（特許文献１０参照）。
【先行技術文献】
【特許文献】
【００１４】
【特許文献１】特開２０１０−１３８８７号公報（図１参照）
【特許文献２】特開平６−２６４５９４号公報（図４参照）
【特許文献３】特開平７−５４４６１号公報（図６参照）
【特許文献４】特開平１０−２０５０５８号公報（図３、図４参照）
【特許文献５】特開平９−１２５６５３号公報（図２、図３参照）
【特許文献６】特開平７−２７９３６１号公報（図１参照）
【特許文献７】特開２００４−２４４８５２号公報（図６参照）
【特許文献８】特開平８−１３５１３７号公報（図１参照）
【特許文献９】特開平１１−２２９５８６号公報（図１参照）
【特許文献１０】特公平７−１００９６７号公報（第１図、第５図参照）
【発明の概要】
【発明が解決しようとする課題】
【００１５】
従来のタイルの取付手段において、タイルとコンクリート等の構造壁面の間にモルタル等を充填してタイルを構造壁面に固定する手段は、モルタルの充填のための作業が必要であり、取付作業は必ずしも効率的ではない。
【００１６】
また、タイル裏面の取付孔に挿入した取付部材に、取付ボルトを螺着して、この取付ボルトによって支持金具等を介してコンクリート等の構造壁面に取り付ける従来の取付構造は、上記モルタル等で接着する取付手段に較べると作業効率は改善される。
【００１７】
しかしながら、前記特許文献１〜４の取付構造のいずれも、タイルの裏面に形成された取付孔に取付部材（留め部材、胴部、アンカーナット等）を挿入して、その取付部材に取付ボルトをねじ込む構成であるから、取付ボルトをねじ込むためにはタイルの裏面に、ドリル等の工具を利用して、ある程度深く孔をあけなくてはならない。すると、タイルが破損する恐れが生じる。特に、タイルが比較的薄い場合等は、その恐れが強い。
【００１８】
さらに、市販の取付ボルトを使用した場合には、開拡した取付部材の内径に形成されたねじに、ぴったりとスムースに螺着しにくい可能性もあり、螺着できたとしても、取付ボルトと取付部材の内径に形成されたねじとの間に緩みや隙間が生じ、強固に固定しにくいという可能性もある。
【００１９】
また、従来例において、特許文献５〜１０に開示されているように、タイルの裏面に溝を形成し、この溝に取付具の一部を差し込んで取り付け、この取付具を介して建物の構造壁面に固定するタイルの取付構造は、取付具をタイルへの取り付けするためにねじを使用しないので、孔あけによる破損は生じない。
【００２０】
しかしながら、従来例では、タイルの裏面の溝への取付具の取付構造は、簡単に装着でき、しっかりと取り付けられるためには、必ずしも十分とは言えず、さらに改良の余地があるものと考えられる。
【００２１】
特に、特許文献１０記載のタイル取付構造は、下地パネルに凹設された係止溝はタイルに対して一条であり、バネ部材で下方から上方に常時持ち上げていないと、タイルははずれてしまう構造である（バネ部材を発明の必須の構成要件としている）ことから見ても、取付の安定性という点で万全ではないものと考えられる。
【００２２】
また、係止溝内の上側の内壁と該内壁に当接するタイルの突起の上面とを凹凸嵌合した構成は、取付の安定性を図ったものと考えられるが、係止溝内の上側の内壁に凹凸面を形成することは、簡単に切削加工できるものではない。
【００２３】
本発明は、上記従来の問題を解決することを目的とするものであり、タイルにタイル取付具を簡単に、しかも緩みやガタが生じることなくしっかりと取り付けることができ、その結果、タイルを建物の構造壁面に、簡単な作業で、強固に固定することができるタイルの取付構造を実現することを課題とする。
【課題を解決するための手段】
【００２４】
本発明は上記課題を解決するために、建物の構造壁面に固定される取付板と、タイルの裏面に形成された係合溝に係合して取り付けられるタイル取付具とを備え、タイル取付具が、取付板に引っ掛けられてタイルが建物の構造壁面に固定されて成るタイルの取付構造であって、タイルの係合溝は、互いに上下方向に間隔をおき、タイルの横幅方向に伸びるように形成された上側係合溝と下側係合溝を有し、上側係合溝は、タイルの裏面から斜め上方に向け傾斜して深くなるように形成されており、下側係合溝は、斜め上方に向け傾斜した傾斜上面と、水平下面と、下側係合溝の最奥部に位置する垂直面とを備え、断面が台形状に形成されており、タイル取付具は、板状の取付具本体と取付板に引っ掛けるフック部から成り、取付具本体は、上側係合部と下側係合部とを有し、上側係合部は、タイルの上側係合溝と係合するように、取付具本体の上端部が斜め上方に向けて屈曲して形成された傾斜部から成り、下側係合部は、タイルの下側係合溝と係合するように、取付具本体の下端部が水平に屈曲して形成された水平部及び該水平部からさらに垂直に屈曲して形成された垂直部とから成ることを特徴とするタイルの取付構造を提供する。                
【００２５】
タイルの下側係合溝の開口の上下幅は、タイル取付具の下側係合部の垂直部の上下幅より大きい構成とする。
【００２６】
タイルの上側係合溝は、上側係合溝の開口の上側におけるタイルの裏面となす角度は４５°としてもよい。
【００２７】
取付板は、タイル取付具のフック部を引っ掛けて係止する受け部を備えている構成とすることが好ましい。   
【００２８】
タイル取付具のフック部は、タイル取付具本体に固着されている構成としてもよい。
【００２９】
タイル取付具のフック部は、タイル取付具本体の一部が平面視で凹型に切り込まれて切り込み部が形成されており、該切り込み部が屈曲されてタイル取付具本体と一体で形成されている構成としてもよい。
【００３０】
タイルの下側係合溝の水平下面とタイル取付具の下側係合部の水平部との間に、タイル取付具を上方に向けて付勢するバネが装着されている構成とすることが好ましい。
【００３１】
バネは、板バネとしてもよい。
【００３２】
板バネは、凸状に湾曲した湾曲部を有し、該湾曲部の両端には平坦部が形成されている構成とすることが好ましい。
【００３３】
板バネは、凸状に湾曲した湾曲部を有し、該湾曲部の両端には平坦部が形成されており、該平坦部には湾曲部と反対側に向けて屈曲された折り返し端部が形成されており、該折り返し端部を、タイルの下側係合溝の水平下面に当接するように構成してもよい。
【００３４】
板バネは、凸状に湾曲した湾曲部を有し、該湾曲部の両端には平坦部が形成されており、該平坦部には湾曲部と同じ側に向けて屈曲された折り返し端部が形成されており、該折り返し端部を、タイル取付具の下側係合部の水平部の下面に当接可能な構成としてもよい。
【００３５】
板バネは、断面が波状に形成されている構成としてもよい。
【発明の効果】
【００３６】
本発明に係るタイルの取付構造によれば次のような効果が生じる。
（１）タイルに複雑な加工をすることなく、しかも高価な工具や部品等を使用することなく、簡単な作業で、容易にタイル取付具をタイルに簡単に取り付けることができ、タイルを建物の構造壁面に、安価で簡単に固定することができる。
【００３７】
（２）タイルにタイル取付具を緩みやガタが生じることなくしっかりと取り付けることができ、これにより、タイルをタイル取付具及び取付板を介して、建物の構造壁面に強固に固定することができる。
【図面の簡単な説明】
【００３８】
【図１】本発明に係るタイルの取付構造の実施例の示す図であり、（ａ）は全体構成を示し、（ｂ）、（ｃ）は要部を説明する図である。
【図２】本発明に係るタイルの取付構造の実施例の取付板を示す図であり、（ａ）及び（ｂ）斜視図及び断面図である。
【図３】本発明に係るタイルの取付構造の実施例のタイル取付具を示す図であり、（ａ）は正面図であり、（ｂ）側面図あり、（ｃ）、（ｄ）は要部を説明する拡大図である。
【図４】タイル取付具の別の構成例を説明する図であり、（ａ）は正面図であり、（ｂ９）は（ａ）のＡ−Ａ断面図である。
【図５】本発明に係るタイルの取付構造のタイルを説明する図であり、（ａ）は断面図であり、（ｂ）、（ｃ）は要部を説明する拡大図であり、（ｄ）はタイルの裏面に複数の係合溝を設けた構成例を説明する図である。
【図６】本発明に係るタイルの取付構造のタイルの係合溝の加工方法を説明する図であり、（ａ）は上側係合溝の加工方法を示し、（ｂ）〜（ｄ）は下側係合溝の加工工程について説明する図である。
【図７】本発明に係るタイルの取付構造の板バネを説明する図であり、（ａ）は平面図であり、（ｂ）は正面図であり、（ｃ）は装着状態を説明する図であり、（ｄ）は（ｃ）のＤ−Ｄ断面図である。
【図８】本発明に係るタイルの取付構造の板バネの変形例を説明する図であり、（ａ）は板バネの側面図であり、（ｂ）は装着状態を説明する図であり、（ｃ）は（ｂ）のＣ−Ｃ断面図である。
【図９】本発明に係るタイルの取付構造の板バネの別の変形例を説明する図であり、（ａ）は板バネの側面図であり、（ｂ）は装着状態を説明する図であり、（ｃ）は（ｂ）のＣ−Ｃ断面図である。
【図１０】本発明に係るタイルの取付構造の板バネの別の構成例を説明する図であり、（ａ）は平面図であり、（ｂ）は正面図である。
【発明を実施するための形態】
【００３９】
本発明に係るタイルの取付構造を実施するための形態を実施例に基づき図面を参照して、以下説明する。
【実施例】
【００４０】
（概要）
本発明に係るタイルの取付構造の実施例１を図１〜図１０で説明する。図１は、実施例のタイルの取付構造１の全体構成を説明する図である。
【００４１】
このタイルの取付構造１は、全体的には、建物の構造壁面２にねじ等の固定具３で固定された取付板６と、タイル７の裏面１２に形成された係合溝８に係合して取り付けられるタイル取付具１１とを有し、タイル７の裏面１２に係合して取り付けられたタイル取付具１１を、取付板６に引っ掛けることで、タイル７が建物の構造壁面２に固定されて成る構成である。
【００４２】
（構成部材）
本発明に係るタイルの取付構造１を構成する部材について以下説明する。
【００４３】
取付板：
取付板６は、図２（ａ）、（ｂ）に斜視図及び断面図を示すように、全体的には長尺状の板材から成り、その材料は、鉄等の金属材、樹脂材等が利用される。取付板６の下端には、上方に折り返された受け部１３が、取付板６の下縁に沿って形成されている。
【００４４】
また、取付板６には、上下方向に長い長孔１６が形成されている。この長孔１６を通してねじ等の固定具３が挿通されて、取付板６は建物の構造壁面２に固定される。
【００４５】
タイル取付具：
タイルの取付構造１において、タイル取付具１１は、タイル７の裏面１２に形成された１又は複数の係合溝８（図５（ｄ）参照）に応じて、１又は複数設けられている。タイル取付具１１は、図３（ａ）、（ｂ）に正面図（建物の構造壁面側から見た図）及び側面図を示すが、タイル取付具本体１７とフック部１８から構成される。
【００４６】
タイル取付具本体１７は、図３（ａ）に示すように、全体の平面形状が矩形である。タイル取付具本体１７の上端部には、上側係合部２１が形成されている。上側係合部２１は、図３（ｂ）に示すように、タイル取付具７を起立した状態で、タイル側（フック部１８と反対側）の斜め上方に傾斜して伸びるように屈曲された傾斜部から成る。
【００４７】
図３（ｃ）に示すように、上側係合部２１が、タイル取付具本体１７の垂直部２２の延長線２３となす角度θは鋭角に形成されている。この実施例では例えば、θ＝４５°とする。換言すると、上側係合部２１とタイル取付具本体１７の垂直部２２とのなす角度（１８０°−θ）は１３５°の傾斜角度をなすように形成されている。
【００４８】
図１（ｂ）、図３（ｃ）に示すように、タイル取付具本体１７の垂直部２２から上側係合部２１の先端までの水平距離ｓは、この実施例では例えば、４．６ｍｍで形成されている。
【００４９】
タイル取付具本体１７の下端部には下側係合部２６が形成されている。下側係合部２６は、図３（ｄ）に示すように、タイル取付具本体１７の垂直部２２に対してタイル側に９０°で屈曲された水平部２７と、水平部２７がさらに上方に９０°で屈曲された垂直部２８とから構成されている。
【００５０】
この実施例では例えば、下側係合部２６の水平部２７の折り返し幅ｄは４．６ｍｍで形成されており、下側係合部２６の垂直部２８の折り返し幅ｈは２．８ｍｍで形成されている。
【００５１】
取付具１１のフック部１８は、図３（ｂ）に示すように、固定部３１、水平部３２及び垂直部３３から成り、全体の断面形状がクランク状に形成されている。また、フック部１８は、図３（ａ）に示すように、その平面形状は、タイル取付具本体１７と略同幅であり矩形をしている。
【００５２】
タイル取付具本体１７の正面に、フック部１８の固定部３１がスポット溶接で固定されている。図３（ａ）、（ｂ）において、３６はスポット溶接部を示す。このような固定手段としては、カシメやボルト等を使用してもよい。
【００５３】
図４（ａ）、（ｂ）は、タイル取付具の変形例を示す。この変形例のタイル取付具３７は、図３に示すタイル取付具１１と全体的には略同じ構成であるが、タイル取付具１１と異なり一つの部材から形成されている。
【００５４】
即ち、この変形例のタイル取付具３７は、タイル取付具本体の一部を平面視で凹状に切り込み、その切り込み部を、タイル取付具本体の垂直部３８に対して直角水平に屈曲し、さらに垂直下方に屈曲して、フック部４１を形成して成るものである。
【００５５】
タイル：
図５は、タイル７の裏面１２に形成された係合溝８を説明する図である。タイル７の裏面１２に形成された係合溝８は、タイル７の横幅方向に伸びるように形成されており、図５（ａ）に示すように、互いに上下方向に間隔をおき、横幅方向に伸びるように形成された上側係合溝４２及び下側係合溝４３の組み合わせから成る。
【００５６】
上側係合溝４２及び下側係合溝４３の組み合わせから成る係合溝８は、１つのタイル７の裏面１２に、そのタイル７の大きさに応じて、１又は複数（図５（ｄ）に示す例では４つ）形成されている。上側係合溝４２及び下側係合溝４３は、それぞれタイル取付具１１の上側係合部２１及び下側係合部２６に係合するように形成されている。
【００５７】
上側係合溝４２は、その断面の拡大図を図５（ｂ）に示すが、タイル７が建物の構造壁面２に垂直に固定された状態で、タイル７の裏面１２から斜め上方に向け傾斜して深くなるように形成されている。
【００５８】
即ち、上側係合溝４２は、タイル取付具１１の上側係合部２１と同方向となるように、上側係合溝４２と、上側係合溝４２の開口上側におけるタイル７の裏面１２とのなす角度θ'Ｈ  を鋭角に形成し、角度θ'Ｈ  は、タイル取付具本体１７の垂直部２２の延長線２３となす角度θ（図３（ｃ）参照）と同じとする。        
【００５９】
この実施例では例えば、θ'Ｈ  ＝４５°とする。換言すると、上側係合溝４２は、上側係合溝４２の開口下側におけるタイル７の裏面１２に対して１８０°−４５°＝１３５°の角度で、斜め上方に向けて傾斜して形成されている。
【００６０】
上側係合溝４２の最深部４６とタイル７の裏面１２との間隔ｓ’は、タイル７の大きさ、厚さ、重量等によって適宜設計される事項である。例えば、タイル７の寸法（横、縦、厚さ）が３００×３００×１０ｍｍの場合は、間隔ｓ’は５ｍｍとする。
【００６１】
この上側係合溝４２の最深部４６とタイル７の裏面１２との間隔ｓ’は、タイル取付具本体１７の垂直部２２から上側係合部２１の先端までの水平距離ｓ（＝４．６ｍｍ）より大きく形成されている（図１（ｂ）、図３（ｃ）参照）。
【００６２】
上側係合溝４２は、図６（ａ）に示すように、円盤ディスクカッター４７を、その刃をタイル７の裏面１２に斜めに入れて回転切削して形成する。
【００６３】
下側係合溝４３は、その断面図の拡大図を図５（ｃ）に示すように、斜め上方に向け傾斜した傾斜上面５１と、水平下面５２と、下側係合溝４３の最奥部に位置する垂直面５３とを備え、全体の断面形状が台形に形成されている。
【００６４】
傾斜上面５１は、上側係合部２１と同様に、タイル７が建物の構造壁面２に垂直に固定された状態で、タイル７の裏面１２に対して斜め上方に向けて傾斜面として形成されている。                            
【００６５】
即ち、傾斜上面５１とタイル７の裏面１２のなす角度θ'Ｌ は鋭角に形成され、角度θ'Ｌ は上記角度θ'Ｈ  と同じ大きさに形成されており、例えばθ'Ｌ＝４５°とする。水平下面５２は、タイル７の裏面１２に対して９０°の角度で、水平面として形成されている。
【００６６】
下側係合溝４３は、上側係合溝４２と同様に、円盤ディスクカッター４７を使用することで形成する。その加工方法は、図６（ｂ）に示すように、まず、円盤ディスクカッター４７をタイル７の裏面１２に斜め上方に入れて回転切削して形成する。
【００６７】
その後で、図６（ｃ）、（ｄ）に示すように、円盤ディスクカッター４７をタイル７の裏面１２に対して直交するように入れて回転切削することで、台形状に下側係合溝４３を形成することができる。
【００６８】
下側係合溝４３の垂直面５３とタイル７の裏面１２との間隔ｄ’は、上側係合溝４２のｓ'の場合と同様に、タイル７の大きさ、厚さ、重量等によって適宜設計される事項である。
【００６９】
例えば、タイル７の寸法（横、縦、厚さ）が３００×３００×１０ｍｍの場合は、下側係合溝４３の垂直面５３とタイル７の裏面１２との間隔ｄ’は５ｍｍとする。この間隔ｄ’は、タイル取付具１１の下側係合部２６の水平部２７の折り返し幅ｄ（＝４．６ｍｍ）より大きく形成されている（図１（ｃ）参照）。                                   
【００７０】
下側係合溝４３がタイル７の裏面１２に開口している開口４４の上下幅ｈ’は、タイル取付具１１の下側係合部２６の垂直部２８の上下幅ｈ（＝２．６ｍｍ）より大きく形成されている。それにより、タイル取付具１１の下側係合部２６が下側係合溝４３に挿入可能となる（図１（ｃ）参照）。
【００７１】
板バネ：
本発明に係るタイルの取付構造においては、下側係合溝４３内にタイル取付具１１の下側係合部２６を挿入した後、タイル取付具１１の下側にバネを配設して下方から弾圧する構成としてもよい。このバネとしては、板バネ、圧縮コイルバネ等を使用する。板バネについて、図７〜図９において説明する。
【００７２】
板バネ５６は、図７（ａ）の平面図に示すように、平面視では長細い形状をしており、その長さは、タイル取付具１１の横幅と略同じ又は該横幅より若干長くなるように形成されている。
【００７３】
板バネ５６は、図７（ｂ）の断面図に示すように、湾曲形状に形成された湾曲部５７を有し、その両端にはそれぞれ平坦部５８が形成されている。なお、湾曲部５７は、下側係合溝４３の水平下面５２とタイル取付具１１の下側係合部２６との間に挿入した状態で、上方に向けて凸状に湾曲するように形成されている。
【００７４】
板バネ５６の使用に際しては、図７（ｃ）、（ｄ）に示すように、タイル取付具本体１７の下側係合部２６の下側であってタイル７の下側係合溝４３の水平下面５２上に載置して装着する。この板バネ５６により、タイル取付具本体１７を上方に弾圧することができる。
【００７５】
図１０（ａ）、（ｂ）は、板バネの別の構成例の平面図及び断面図を示す。この板バネ５９は、断面が波状に屈曲された波状弾力部６０を有する。
【００７６】
図８（ａ）は、図７に示す板バネの５６変形例の断面図を示している。この板バネ６１は、図７に示す板バネ５６と略同じ形状で湾曲部５７を有するが、その両端の平坦部５８に、それぞれ湾曲部５７と反対側に向けて屈曲したＵ字形（又は図示はしないがＶ字型）の折り返し部６２が形成されている。
【００７７】
この変形例の板バネ６１は、その使用に際しては、図８（ｂ）、（ｃ）に示すように、両端の折り返し部６２を、それぞれタイル７の下側係合溝４３の水平下面５２に載置して装着する。そのような構成とすると、タイル取付具本体１７の下側に装着した板バネ６１の折り返し部６２も水平下面５２と弾力的に当接するので、板バネ６１のずれ止めとなり、板バネ６１はしっかりと装着できる。
【００７８】
図９（ａ）は、図７に示す板バネの別の変形例の断面図を示している。この板バネ６６は、図７に示す板バネと略同じ形状で湾曲部５７を有するが、その両端の平坦部５８に、それぞれ湾曲部５７と同じ側に向けて屈曲したＵ字形（又は図示はしないがＶ字型）の折り返し部６７が形成されている。
【００７９】
この別の変形例の板バネ６６は、その使用に際しては、図９（ｂ）、（ｃ）に示すように、湾曲部５７及び折り返し部６７を上方に向けてタイル７の下側係合溝４３の水平下面５２の上に載置して装着する。
【００８０】
このような構成とすると、板バネ６６の両端部において、折り返し部６７がタイル取付具本体１７の下側係合部２６の水平部２７に当接し上方に弾力的に支持することも可能となり、湾曲部５７に加えてタイル取付具本体１７を上方に弾力的に押圧する作用に寄与するとともに、タイル取付具本体１７の安定性を良くし、さらに板バネ６６自体のずれ止めとなり、板バネ６６はしっかりと装着できる。
【００８１】
（タイルの取付構造）                       
本発明に係るタイルの取付構造１を構成する部材は以上のとおりであるが、これらの部材を備えたタイルの取付構造１について、その施工方法とともに説明する。
【００８２】
タイル７を建物の構造壁面２に取り付ける施工に際しては、まず、取付板６を建物の構造壁面２にねじで固定する。
【００８３】
そして、タイル取付具１１の上側係合部２１及び下側係合部２６を、それぞれタイル７の上側係合溝４２及び下側係合溝４３に係合する。この係合に際しては、タイル取付具１１の下側係合部２６を開口４４から下側係合溝４３内に挿入してから、タイル取付具１１を上方にずらして上側係合部２１を上側係合溝４２に挿入する。
【００８４】
このようにタイル取付具１１の上側係合部２１及び下側係合部２６を、それぞれタイルの上側係合溝４２及び下側係合溝４３に係合してから、板バネ５６を下側係合部２６の水平部２７とタイル７の下側係合溝４３の水平下面５２との隙間に装着する。すると、板バネ５６によって、タイル取付具１１は上方に付勢される。
【００８５】
なお、図８及び図９に示す変形例の板バネ６１及び別の変形例の板バネ６６を使用する場合は、タイル取付具１１に予め板バネ６１、６６を装着してから、板バネ６１、６６の弾力に抗して湾曲部５７を押圧した状態で、タイル取付具１１の下側係合部２６を、タイル７の下側係合溝４３に係合し、さらに上側係合部２１を上側係合溝４２に係合する。
【００８６】
上記のとおり、タイル取付具１１をタイル７に係合して取り付けると、板バネ５６によって、上側係合部２１は上側係合溝４２の傾斜上面４８に向けて付勢され、下側係合部２６の垂直部２８は下側係合溝４３の傾斜上面５１に向けて付勢される。
【００８７】
その結果、タイル取付具１１はタイル７の係合溝８に確実に係合して取り付けられ、タイル取付具１１をタイル７の裏面１２から引きはがすように引いても取り外すことができなくなる。
【００８８】
なお、タイル取付具１１の上側係合部２１及び下側係合部２６を、それぞれタイル７の上側係合溝４２及び下側係合溝４３に係合した状態では、上側係合部２１の先端部と上側係合溝４２の最深部４６は当接することなく隙間を残しており余裕がある。また、下側係合部２６の垂直部２８と下側係合溝４３の垂直面５３は当接することなく隙間を残しており余裕がある。  
【００８９】
タイル取付具１１をタイル７からはずす場合は、タイル取付具１１を、いったん板バネ５６に抗して下方に引き下げ、外側に引けばよい。
【００９０】
以上のとおり、タイル取付具１１の上側係合部２１及び下側係合部２６を、それぞれタイル７の上側係合溝４２及び下側係合溝４３に係合して、タイル７にタイル取付具１１を取り付けてから、タイル取付具１１のフック部１８を、取付板６の受け部１３に挿入して係止する。これによって、タイル７及びタイル取付具１１を取付板６に装着し、タイル７を建物の構造壁面２に固定することができる。
【００９１】
タイル７に取り付けられたタイル取付具１１を、取付板６の受け部１３に係合させて取り付けると、タイル７は、その自重で、その上側係合溝４２及び下側係合溝４３は、それぞれタイル取付具１１の上側係合部２１及び下側係合部２６に、上下両方において当接係合する。
【００９２】
そのために、タイル７はタイル取付具１１に係止拘束されて、簡単には、はずれことがない。従って、タイル７は、建物の構造壁面２に強固に固定され、はずれたり、はがれたりすることがない。     
【００９３】
特に、本発明に係るタイルの取付構造のきわめて特徴的な構成及びそれによる顕著な機能は、次のようにタイル自体の自重を利用して、建物の構造壁面２に向けて押し込まれるようにし、かつ建物の構造壁面から外れにくくした点である。
【００９４】
即ち、上側係合溝４２及び下側係合溝４３は斜め上方に傾斜して形成されているので、タイル７はその自重によって、タイル取付具１１の上側係合部２１及び下側係合部２６に対して、下方かつタイル取付具１１側に相対的にずれて移動する力が作用し、タイル７はタイル取付具１１側に押しつけられるようなり、しかも上側係合部２１及び下側係合部２６と上側係合溝４２及び下側係合溝４３の係合を確実にして、タイル７が建物の構造壁面２にから外れにくくなり、しっかりと取り付けられる。
【００９５】
ところで、上側係合溝４２の最深部４６とタイル７の裏面１２との間隔ｓ’は、タイル取付具本体１７の垂直部２２から上側係合部２１の先端までの水平距離ｓより大きく形成されている。また、下側係合溝４３の垂直面５３とタイル７の裏面１２との間隔ｄ’は、取付具の下側係合部２６の水平部２７の折り返し幅ｄより大きく形成されている。
【００９６】
従って、上記のとおり、タイル７はその自重で、タイル取付具１１の上側係合部２１及び下側係合部２６に対して、下方かつタイル取付具１１側に相対的にずれて移動する力が作用し、タイル７はタイル取付具１１側に押しつけられても、上側係合部２１及び下側係合部２６が、上側係合溝４２の最深部４６及び下側係合溝４３の垂直面５３に突き当たって押しつけられるようなことは生じない。
【００９７】
このようにタイル７の自重でタイル７がタイル取付具１１にしっかりと取り付けられることからすると、板バネ５６をタイル取付具１１とタイル７の取付孔の間に装着する必要は必ずしもない。
【００９８】
しかしながら、板バネ５６を装着することで、上記タイル７の自重による効果と相乗して、板場バネ５６でタイル取付具１１を上方に押圧し、より強固に係合させるという顕著な効果が生じる。
【００９９】
また、タイル７の上側係合溝４２及び下側係合溝４３は、円盤ディスクカッター４７等で切削加工して形成するが、その加工面は必ずしも滑らかではなく、凹凸が残っている。従って、タイル取付具１１を装着するとどうしてもがたつきが生じる。
【０１００】
しかし、板バネ５６を装着することで、タイル７とタイル取付具１１の係合状態を均一にするとともに、タイル７とタイル取付具１１の係合部におけるがたつきが解消され、しかも、タイル７とタイル取付具１１の横幅方向へのずれが防止されるという顕著な効果が生じる。                                                      
【０１０１】
なお、タイル取付具１１をタイル７の係合溝８に係合する作業は、タイル７を取り付ける施工現場で行ってもよいが、本発明に係るタイルの取付構造１を使用すれば、タイル７の製造側、搬出側で事前に行えば、施工現場での作業はきわめて簡単となり、短時間の取付施工が可能となる。
【０１０２】
なお、本発明に係るタイルの取付構造においては、タイル７と建物の構造壁面２の間に、特にモルタル等を充填しない構成としてもよい。しかし、タイル７の裏面１２の一部に接着剤を塗布してから、タイル取付具１１のフック部１８を、取付板６の受け部１３に挿入して係止することで、接着剤でタイル７の裏面１２の一部と建物の構造壁面２を接着し、より強固にタイル７を取り付ける構成としても良い。
【０１０３】
また、本発明に係るタイルの取付構造においては、互いに隣接するタイル７の間の隙間に、特に目地材を充填しない構成としてもよい。しかし、通常使用されているモルタル等の目地材を充填する構成としても良いし、或いはゴム製又は樹脂製のコーキング剤を充填する構成としてもよい。
【０１０４】
以上、本発明に係るタイルの取付構造を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【０１０５】
上記構成の本発明に係るタイルの取付構造は、建物の構造壁面に固定される各種のタイル、サイディングボード等の外装部材、屋根部材等の取付のためにも適用可能である。
【符号の説明】
【０１０６】
１  タイルの取付構造                        
２  建物の構造壁面                          
３  固定具（ボルト等）                      
６  取付板                                  
７  タイル                                  
８  係合溝                                  
１１  タイル取付具                          
１２  タイルの裏面                          
１３  取付板の受け部                        
１６  取付板の長孔                          
１７  タイル取付具本体                      
１８  タイル取付具のフック部                
２１  タイル取付具本体の上側係合部          
２２  タイル取付具本体の垂直部              
２３  タイル取付具本体の垂直部の延長線      
２６  タイル取付具本体の下側係合部          
２７  下側係合部の水平部                    
２８  下側係合部の垂直部                    
３１  フック部の固定部                      
３２  フック部の水平部                      
３３  フック部の垂直部                      
３６  スポット溶接部                        
３７  変形例のタイル取付具                  
３８  変形例のタイル取付具本体の垂直部          
４１  変形例のタイル取付具のフック部          
４２  タイルの上側係合溝                    
４３  タイルの下側係合溝                    
４４  タイルの下側係合溝の開口              
４６  上側係合溝の最深部                    
４７  円盤ディスクカッター                  
４８  上側係合溝の傾斜上面                  
５１  タイルの下側係合溝の傾斜上面          
５２  タイルの下側係合溝の水平下面          
５３  タイルの下側係合溝の垂直面            
５６  板バネ                                
５７  板バネの湾曲部                        
５８  板バネの平坦部
５９  別の構成例の板バネ
６０  別の構成例の板バネの波状弾力部                      
６１  変形例の板バネ                        
６２  変形例の板バネの折り返し部            
６６  別の変形例の板バネ                    
６７  別の変形例の板バネの折り返し部        
【図１】
0005806910.tif 000002
【図２】
0005806910.tif 000003
【図３】
0005806910.tif 000004
【図４】
0005806910.tif 000005
【図５】
0005806910.tif 000006
【図６】
0005806910.tif 000007
【図７】
0005806910.tif 000008
【図８】
0005806910.tif 000009
【図９】
0005806910.tif 000010
【図１０】
0005806910.tif 000011